(57)【特許請求の範囲】
【請求項１】
照明光学系が設けられた枠部材と、
前記枠部材が取り付けられる本体部と、
前記枠部材と前記本体部とをカバーするカバー部と、
前記本体部に設けられ、観察部位の観察像光を取り込むための対物光学系と、
前記本体部に固定され、前記対物光学系による入射光の光路を変換して撮像素子へと導くプリズムと、
前記対物光学系と前記プリズムとの間に配されるフレア絞りと、
を具備する内視鏡であって、
前記プリズムの前記入射光が入射される側の面上に前記フレア絞りと前記対物光学系とを位置決めして固定するための位置決め手段を、前記本体部と前記枠部材とに設けたことを特徴とする内視鏡。
【請求項２】
照明光学系が設けられた先端枠部材と、
前記先端枠部材が取り付けられるアダプタ本体と、
前記先端枠部材と前記アダプタ本体の一部とをカバーするカバー部と、
観察部位の観察像光を取り込むための対物光学系と、
前記アダプタ本体に固定され、前記対物光学系による入射光の光路を変換して内視鏡の撮像素子へと導くプリズムと、
前記対物光学系と前記プリズムとの間に配されるフレア絞りと、
を具備して前記内視鏡の先端部に着脱自在な内視鏡用アダプタであって、
前記プリズムの前記入射光が入射される側の面上に前記フレア絞りと前記対物光学系とを位置決めして固定するための位置決め手段を、前記アダプタ本体と前記先端枠部材とに設けたことを特徴とする内視鏡用光学アダプタ。
【請求項３】
前記位置決め手段は、前記アダプタ本体及び前記先端枠部材にそれぞれ形成された当接部材であり、
前記当接部材は、前記アダプタ本体と前記先端枠部材とに挟持された前記対物光学系及び前記フレア絞りにそれぞれ当接して位置決めを行い固定するための当接面を有していることを請求項２に記載の内視鏡用光学アダプタ。
【請求項４】
前記対物光学系及び前記フレア絞りは、前記カバー部に設けられた開口部内に、前記位置決め手段により固定された状態で、且つ前記開口部の内面と接触しないように配置されたもので、前記対物光学系と前記開口部との隙間が水密となるように接着剤で充填されていることを特徴とする請求項２又は請求項３に記載の内視鏡用光学アダプタ。
【請求項５】
前記内視鏡用光学アダプタは、側視型の前記照明光学系及び前記対物光学系を有して側視の観察方向を可能な側視型内視鏡用光学アダプタであることを特徴とする請求項２から請求項４のいずれか１つに記載の内視鏡用光学アダプタ。
【発明の詳細な説明】
【技術分野】
【０００１】
本発明は、側視の視野方向を観察可能にする内視鏡及び内視鏡用光学アダプタに関する。
【背景技術】
【０００２】
近年、体腔内に細長の挿入部を挿入することにより体腔内臓器を観察したり、必要に応じて処置具チャンネル内に挿通した処置具を用いて各種治療のできる内視鏡が広く用いられている。また、工業用分野においても、ボイラ、タービン、エンジン、化学プラント等の内部の傷、腐食等の観察、検査に工業用内視鏡が広く用いられている。
【０００３】
前記内視鏡には挿入部の先端部にＣＣＤなどの撮像素子を内蔵し、この撮像素子に結像した光学像を、表示装置の画面上に表示させて観察を行えるようにした電子内視鏡（以下、内視鏡と略記）がある。
【０００４】
また、前記内視鏡には、この内視鏡の先端部に側視光学系を有する内視鏡用光学アダプタを装着することで側視の視野方向の観察が可能な側視型の内視鏡がある。また、前記内視鏡用光学アダプタに側視光学系の他に通常の直視光学系を備えることで、直視及び側視の２つの視野方向の観察を可能にした内視鏡もある。
【０００５】
このような内視鏡用光学アダプタを装着する内視鏡は、内視鏡画像の明るさの向上化、及び内視鏡先端部、内視鏡用光学アダプタの細径化が望まれており、従来より、数多くの提案がなされている。
【０００６】
例えば、特許文献１には、内視鏡用光学アダプタ内の光束をカットして暗くすることなく、観察光学系の外径を小さくすることを目的として、内視鏡の観察光学系と光軸が一致した内視鏡用光学アダプタの観察光学系内に明るさ絞りを設けたことを特徴とする内視鏡用光学系アダプタに関する技術が開示されている。
【０００７】
また、特許文献２には、内視鏡用光学アダプタを装着することによって、表示装置の画面上に適正な明るさに調整された直視内視鏡画像と側視内視鏡画像とを表示させて、両画像の観察を同時に行うことを目的として、内視鏡用光学アダプタに表示装置に表示される直視内視鏡画像と側視内視鏡画像との表示明るさを適正に調整する調整手段を設けた内視鏡装置に関する技術が開示されている。
【０００８】
このような従来技術では、いずれの特許文献１及び２に開示された内視鏡用光学アダプタにおいても、この内視鏡用光学アダプタの側視光学系を構成する対物レンズとフレア絞りの位置決めがカバー部に設けられた開口部内の内周面で位置決めされている。
【０００９】
このような従来の内視鏡用光学アダプタの具体的な構成について図１０及び図１１を参照しながら説明する。図１０は内視鏡用光学アダプタ内のプリズム上に間隔スペーサを介してフレア絞り及び対物レンズを配置した構成を示す図、図１１は内視鏡用光学アダプタ内のプリズム上に間隔スペーサを設けずに直接フレア絞り及び対物レンズを配置した構成を示す図である。
【００１０】
図１０に示す従来例では、内視鏡用光学アダプタ５０は、アダプタ本体５１と、カバー部５２と、先端枠部材５３とで主に構成され、間隔スペーサ５４、フレア絞り５５及び側視光学系の対物レンズ５６が前記カバー部５２に設けられた開口部５２Ａ内に配設されている。
【００１１】
この場合、前記間隔スペーサ５４、前記フレア絞り５５及び前記対物レンズ５６は、アダプタ本体５１に固定されたプリズム５７上に積層された状態で、それぞれの側面が前記開口部５２Ａの内周面５２ａに接触することで、観察光学系を構成するプリズム５７、光学レンズ５８及びカバーガラス５９等の光軸に対して位置決めを行い固定される。
【００１２】
また、図１１に示す従来例では、前記特許文献１及び２に示す内視鏡用光学アダプタと略同様に、内視鏡用光学アダプタ５０が有するフレア絞り５５及び物レンズ５６が、前記カバー部５２に設けられた開口部５２Ａ内に配設され、そして、間隔スペーサ５４を設けずに前記同様に前記アダプタ本体５１に固定されたプリズム５７上に積層された状態で、それぞれの側面が前記開口部５２Ａの内周面５２ａに接触することで、観察光学系を構成するプリズム５７、光学レンズ５８及びカバーガラス５９等の光軸に対して位置決めを行い固定される。
【特許文献１】実公平６−２６８８９号公報
【特許文献２】特開２００３−１６４４１８号公報
【発明の開示】
【発明が解決しようとする課題】
【００１３】
しかしながら、 前記従来の間隔スペーサを設けた内視鏡用光学アダプタでは、間隔スペーサを設けると、その間隔スペーサに積層されるフレア絞り及び対物レンズが、間隔スペーサの厚み分、内視鏡用光学アダプタの長手方向の中心軸に対して鉛直な方向に遠ざかるように配設されてしまうため、内視鏡用光学アダプタ及び内視鏡先端部の細径化を図ることは困難であるといった問題点があった。
【００１４】
また、この場合、対物レンズが間隔スペーサの厚みによって内視鏡用光学アダプタの長手方向の中心軸に対して鉛直な方向に遠ざかるように配設されるため、この対物レンズを前記鉛直な方向に遠ざかるほど小さく構成しなくてはならず、その結果明るさが暗くなってしまうといった問題点があった。
【００１５】
従って、内視鏡用光学アダプタ及び内視鏡先端部の細径化、及び明るさの向上化を図るためには、前記間隔スペーサを設けずに前記フレア絞り及び対物レンズをプリズム上に配設する構成とすることが望ましい。
【００１６】
そのため、前記特許文献１及び２に示すような間隔スペーサを設けない前記従来の内視鏡用光学アダプタ５０では、フレア絞り５５及び対物レンズ５６は、カバー部５２に設けられた開口部５２Ａ内に配設され、そして、間隔スペーサ５４を設けずにアダプタ本体５１に固定されたプリズム５７上に積層された状態で、それぞれの側面が前記開口部５２Ａの内周面５２ａに接触することで、観察光学系を構成するプリズム５７、光学レンズ５８及びカバーガラス５９等の光軸に対して位置決めを行い固定される。
【００１７】
しかしながら、このような構造だと、対物レンズ５６が、カバー部５２の開口部５２Ａにおける内周面５２ａ及びこの開口部５２Ａの加工精度と、アダプタ本体５１の突き当て面の加工精度とによっては、内視鏡用光学アダプタ５０の長手方向に位置ずれが生じる虞れがある。
【００１８】
また、カバー部５２内に設けられる先端枠部材５３等の回転規制構造によるガタ、及びカバー部５２の開口部５２Ａの開口精度及びその位置精度によっては、内視鏡用光学アダプタ５０の長手方向に対して鉛直な水平方向に位置ずれが生じる虞れもある。勿論、前記内視鏡用光学アダプタ５０の組立による浮きなどでも、前記位置ずれは生じる虞れがある。そして、前記位置ずれが生じると、対物レンズ５６内の球面５６ａの中心が光学系の中心軸に対してずれることになり、平面５６ｂ上では傾き光軸が傾いてしまうといった傾き角が生じてしまう。小径の内視鏡用光学アダプタにおいては、対物レンズ５６の大きさに余裕を持てないため、前記傾き角が大きいと、すぐに側視内視鏡画像のケラレが発生してしまい、最適な側視内視鏡画像を得ることができないといった問題点があった。
【００１９】
さらに、フレア絞りは１枚が０．０３ｍｍ程度の薄板であって、光学系のフレアを取り除くための開口穴以外に対物レンズのピント調整により実装枚数を変えているが、間隔スペーサ５４を設けずに、フレア絞り５５を直接プリズム５７上に数枚配置すると、先端枠部材５３又はプリズム５７と、カバー部５２との間の微小な隙間に、フレア絞り５５がずれてスライドして入り込んでしまい、その結果、光を遮蔽して最適な内視鏡画像が得られないといった問題点もあった。
【００２０】
尚、カプセル内視鏡の内視鏡においても、同様の問題があった。
【００２１】
そこで、本発明は前記事情に鑑みてなされたものであり、カバー部の開口部の内周面を用いずにフレア絞り及び対物レンズをプリズム上に位置決めして固定することで位置ずれを防止して最適な内視鏡画像を得ることができ、且つ観察光学系及び内視鏡先端部の細径化を図ることのできる内視鏡及び内視鏡用光学アダプタを提供することを目的とする。
【課題を解決するための手段】
【００２２】
本発明の内視鏡は、照明光学系が設けられた枠部材と、前記枠部材が取り付けられる本体部と、前記枠部材と前記本体部とをカバーするカバー部と、前記本体部に設けられ、観察部位の観察像光を取り込むための対物光学系と、前記本体部に固定され、前記対物光学系による入射光の光路を変換して撮像素子へと導くプリズムと、前記対物光学系と前記プリズムとの間に配されるフレア絞りと、を具備する内視鏡であって、前記プリズムの前記入射光が入射される側の面上に前記フレア絞りと前記対物光学系とを位置決めして固定するための位置決め手段を、前記本体部と前記枠部材とに設けたことを特徴とする。
【００２３】
また、本発明の内視鏡用光学アダプタは、照明光学系が設けられた先端枠部材と、前記先端枠部材が取り付けられるアダプタ本体と、前記先端枠部材と前記アダプタ本体の一部とをカバーするカバー部と、対物光学系と、前記アダプタ本体に固定され、前記対物光学系による入射光の光路を変換して内視鏡の撮像素子へと導くプリズムと、前記対物光学系と前記プリズムとの間に配されるフレア絞りと、を具備して前記内視鏡の先端部に着脱自在な内視鏡用アダプタであって、前記プリズムの前記入射光が入射される側の面上に前記フレア絞りと前記対物光学系とを位置決めして固定するための位置決め手段を、前記アダプタ本体と前記先端枠部材とに設けたことを特徴とする。
【発明の効果】
【００２４】
本発明によれば、カバー部の開口部の内周面を用いずにフレア絞り及び対物レンズをプリズム上に位置決めして固定することで位置ずれを防止して最適な内視鏡画像が得られ、且つ観察光学系及び内視鏡先端部の細径化を図ることのできる内視鏡及び内視鏡用光学アダプタを提供することが可能となる。
【発明を実施するための最良の形態】
【００２５】
以下、図面を参照して本発明の実施の形態を説明する。
【００２６】
（一実施の形態）
図１から図８は本発明に係る内視鏡用光学アダプタの一実施の形態を示し、図１は内視鏡用光学アダプタ及びこの内視鏡用光学アダプタが着脱自在に装着される内視鏡先端部を有する内視鏡装置の構成を示す斜視図、図２は内視鏡用光学アダプタが装着された内視鏡先端部の上面図、図３は図２のＡ−Ａ線断面図、図４は図３に示す内視鏡用光学アダプタの分解構成斜視図、図５から図７は発明の特徴となる位置決め手段の構成を説明するためのもので、図５は対物レンズを外した状態の内視鏡用光学アダプタの断面斜視図、図６は図３のＢ−Ｂ線断面図、図７はアダプタ本体と先端枠部材とを組み立てた状態の位置決め手段の構成を示す内視鏡用光学アダプタの斜視図、図８は図３のＣ−Ｃ線断面図である。
【００２７】
尚、本発明の実施の形態は、内視鏡用光学アダプタを、例えば側視観察光学系を有して側視の視野方向を観察可能にする側視型内視鏡用光学アダプタに適用した実施の形態について説明する。
【００２８】
図１に示すように、本発明が適用された内視鏡装置１は、本実施の形態の内視鏡用光学アダプタ２と、この内視鏡用光学アダプタ２が止めネジ３により基端部に着脱自在に接続される内視鏡挿入部４を有する内視鏡（図示せず）とを有して構成されている。
【００２９】
前記内視鏡挿入部４は、柔軟性を有する細長に形成されたもので、その基端側には、前記止めネジ３によって嵌合される嵌合部４Ａが設けられている。また、前記内視鏡挿入部４の前記嵌合部４Ａ内部には、主にこの嵌合部４Ａを構成する硬質の接続本体部４Ｂが設けられている。
【００３０】
この接続本体部４Ｂ内には、前記内視鏡用光学アダプタ２の観察光学系と光学的に接続される対物レンズ群４Ｃ及び撮像素子４Ｅを有する撮像ユニット４Ｄが設けられている。
【００３１】
前記内視鏡挿入部４の嵌合部４Ａには、前記内視鏡用光学アダプタ２の止めネジ３によってこの内視鏡用光学アダプタ２が着脱自在に接続される。
【００３２】
前記内視鏡用光学アダプタ２は、前記内視鏡挿入部４の嵌合部４Ａに接続されて、後述する側視型の照明光学系及び対物光学系を備えて側視の視野方向を観察可能にする光学特性を有している。
【００３３】
また、図１に示すように、前記内視鏡用光学アダプタ２の先端側側面部には、後述するカバー部５の２つの開口部５ａ、５ｂが形成されている。この開口部５ａには、図２に示すように後述する側視観察光学系を構成する対物レンズ６が配置されるようになっている。また、もう一方の先端側の開口部５ｂには、後述する側視照明光学系を構成する側視照明ユニット７が配置されるようになっている。
【００３４】
そして、図１及び図２に示すように、それぞれの開口部５ａ、５ｂからは前記対物レンズ６及び前記側視照明ユニット７が露出されており、そのため、側視方向の前記側視照明ユニット７による照明光の出射と、側視方向の前記対物レンズ６による被検体光の入射とが可能である。このように内視鏡用光学アダプタ２の外観が構成されている。
【００３５】
次に、前記内視鏡用光学アダプタ２の具体的な構成について、図３から図８を参照しながら説明する。
【００３６】
図３及び図４に示すように、本実施の形態の内視鏡用光学アダプタ２は、側視照明光学系を構成する側視照明ユニット７が設けられた先端枠部材１２と、この先端枠部材１２が取り付けられるアダプタ本体１１と、先端枠部材１２とアダプタ本体１１の一部とをカバーするカバー部５と、観察部位の観察像光を取り込むための側視対物光学系を構成する対物レンズ６と、アダプタ本体１１に固定され、対物レンズ６による入射光の光路を変換して内視鏡挿入部４内の撮像ユニット４Ｄ（詳しくはこの撮像ユニット４Ｄ内の撮像素子４Ｅ）へと導くプリズム１３と、対物レンズ６とプリズム１３との間に配され、画像のフレアを防止するためのフレア絞り１５とを具備し、プリズム１３の入射光が入射される側の面上１３ａにフレア絞り１５と対物レンズ６とを位置決めして固定するための位置決め手段２０を、アダプタ本体１１と先端枠部材１２とに設けて構成されている。
【００３７】
尚、前記内視鏡用光学アダプタ２が接続される内視鏡挿入部４内部には、撮像ユニット４Ｄが設けられ、この撮像ユニット４Ｄには、前記対物レンズ群４Ｃが設けられている。また、この対物レンズ群４Ｃの結像位置には固体撮像素子として例えば電荷結合素子（ＣＣＤ）４Ｅが配置されており、このＣＣＤ４Ｅから延出する図示しない信号線は図示しないＣＣＵに接続されている。このＣＣＵは、前記ＣＣＤ４Ｅで光電変換された画像信号から標準的な映像信号を生成して図示しないモニタに出力する。このことによって、モニタの画面上にＣＣＤ４Ｅに結像した観察部位の側視内視鏡画像が表示されるようになっている。
【００３８】
また、以下の説明では、このような内視鏡挿入部４を有する内視鏡は周知の内視鏡であり、この内視鏡の具体的な構成については発明の主要部ではないので説明を省略する。
【００３９】
前記内視鏡挿入部４の嵌合部４Ａに接続される内視鏡用光学アダプタ２は、例えばビスによってカバー部５とアダプタ本体１１とが一体に構成されている。また、カバー部５には、前記したように前記側視照明ユニット７及び前記フレア絞り１５、対物レンズ６をそれぞれ配置するための２つの開口部５ａ、５ｂが形成されている。
【００４０】
開口部５ｂ内に配置される前記側視照明ユニット７は、基板７ａと、この基板７ａ上に配設される２つの電極８と、この２つの電極８近傍の基板７ａ上に配設される３つのＬＥＤ９とを有して構成されている。そして、この基板７ａには、プリント配線１０の接続部１０ａが電気的に接続され、このプリント配線１０の基端部が前記内視鏡挿入部４内に設けられた図示しない信号線に接続されている。
【００４１】
つまり、前記信号線、前記プリント配線１０を介して電力が前記基板７ａに供給されることで、ＬＥＤ９が発光する。これにより、観察部位を観察するのに必要な照明光を観察部位に対して出射することができる。
【００４２】
このような側視照明光学系を構成する前記側視照明ユニット７は、図３に示すように、前記先端枠部材１２の先端側に配設される。
【００４３】
前記先端枠部材１２は、図４に示すように、側面に設けられた取付穴１２ａと、前記アダプタ本体１１の側面部１１Ａに設けられた取付孔１１ａとを介して、回転規制留め具１４を嵌合することによって前記アダプタ本体１１の両側側面部１１Ａに固定される。
【００４４】
この場合、先端枠部材１２とアダプタ本体１１との間には、前記プリズム１３が配置され、このプリズム１３は、このアダプタ本体側面部１１Ａの間に固定されている。
【００４５】
また、前記アダプタ本体１１には、前記プリズム１３からの観察部位の透過光を前記撮像ユニット４Ｄ内のＣＣＤ４Ｅの撮像面に対して結像させるための光学レンズ２１及びカバーレンズ２２が設けられている。このカバーレンズ２２の後端側には、接続された内視鏡挿入部４内の撮像ユニット４Ｄが配置される。
【００４６】
本実施の形態の内視鏡用光学アダプタ２は、前記したようにプリズム１３の入射光が入射される側の面１３ａ上にフレア絞り１５と対物レンズ６とを位置決めして固定するための位置決め手段２０を、アダプタ本体１１と先端枠部材１２とに設けて構成されている。
【００４７】
前記位置決め手段の具体的な構成について、図３から図７を参照しながら説明する。
【００４８】
図３から図７に示すように、前記位置決め手段２０は、前記アダプタ本体及び前記先端枠部材にそれぞれ形成された当接部材２０Ａ、２０Ｂ、２０Ｃである。
【００４９】
前記当接部材２０Ａ、２０Ｂ、２０Ｃは、前記アダプタ本体１１と前記先端枠部材１２とに挟持された対物レンズ６及びフレア絞り１５のそれぞれ側面に当接して位置決めを行い固定するための当接面２０ａ、２０ｂ、２０ｃを有して構成されている。
【００５０】
さらに、具体的な構成を説明すると、前記先端枠部材１２に設けられた当接部材２０Ａは、図３、図４及び図７に示すように、上部の基端側（プリズム１３が配置される基端側部分）に配置され、側視方向、すなわち、内視鏡用光学アダプタ２の長手方向の中心軸に対して鉛直な方向に突出するように形成された前記当接面２０ａを有して構成されている。
【００５１】
この場合、前記当接面２０ａは、図３、図５及び図６に示すように、前記フレア絞り１５と前記対物レンズ６の一部とのそれぞれの側面部と面接触して当接するだけの幅を有して形成されている。
【００５２】
尚、図６に示す接合部分１００によって、カバー部５とアダプタ本体１１との軸が合わせられるようになっている。
【００５３】
一方、前記アダプタ本体１１に設けられた当接部材２０Ｂは、図３、図４及び図７に示すように、前記両側側面部１１Ａの手元側で、前記プリズム１３が固定される上部の先端側に配置され、内視鏡用光学アダプタ２の長手方向の中心軸方向に突出するように構成された前記当接面２０ｂを有して形成されている。
【００５４】
この場合、前記当接面２０ｂは、前記当接面２０ａと同様に前記フレア絞り１５と前記対物レンズ６の一部とのそれぞれの側面部と面接触して当接するだけの幅を有して形成されている。
【００５５】
尚、前記当接部材２０Ａと前記当接部材２０Ｂは、図３に示すように、それぞれの当接面２０ａ、２０ｂとが前記フレア絞り１５と前記対物レンズ６の一部とのそれぞれの側面部と面接触して当接することによって、前記カバー部５の開口部５ａの内周面に接触することなく、前記プリズム１３の面１３ａ上に配置された前記フレア絞り１５及び前記対物レンズ６を位置決めして固定することができるような位置にそれぞれ設けられている。
【００５６】
すなわち、前記カバー部５の開口部５ａの内周面と、前記当接部材２０Ａ、２０Ｂによって位置決めされ且つ固定された前記フレア絞り１６及び前記対物レンズ６との間には、図３に示すように、隙間が設けられることになる。この隙間には、組立時に、接着剤が充填されることで、水密が確保されるようになっている。
【００５７】
また、前記アダプタ本体１１に設けられた当接部材２０Ｃは、図４及び図７に示すように、前記両側側面部１１Ａの手元側の上部で、前記プリズム１３の面１３ａの長さよりも多少長くなるようにそれぞれ形成され、互いの面が内視鏡用光学アダプタ２の長手方向の中心軸に対して向かい合うように構成された２つの前記当接面２０ｃを有して形成されている。
【００５８】
この場合、これら前記当接面２０ｃは、前記両側側面部１１Ａの内周面を構成しているが、前記当接面２０ａと同様に前記フレア絞り１５と前記対物レンズ６の一部とのそれぞれの側面部と面接触して当接するだけの幅を有して形成されている。
【００５９】
そして、これらの当接面２０ｃは、前記フレア絞り１５と前記対物レンズ６の一部とのそれぞれの側面部と面接触して当接することにより、前記フレア絞り１５及び前記対物レンズ６の、前記内視鏡用光学アダプタ２の長手方向の中心軸に対して鉛直な水平方向を規制し固定することが可能となる。
【００６０】
次に、前記構成の内視鏡用光学アダプタ２の組立手順及び作用について、図３、図４、図７及び図８を参照しながら説明する。  
まず、作業者は、予めプリズム１３が固定されたアダプタ本体１１の両側側面部１１Ａ内に、先端枠部材１２を挿入させる。そして、カバー部５を先端枠部材１２の先端側からカバーするように装着する。
【００６１】
その後、作業者は、カバー部５の側面部に設けられた取付孔５ｃ、前記アダプタ本体１１の取付孔１１ａ、前記先端枠部材１２の取付孔１２ａを介して、回転規制留め具１４を嵌合することによって前記カバー部５をアダプタ本体１１に押し当てながら前記先端枠部材１２を前記アダプタ本体１１の片側の側面部１１Ａに本固定する。尚、カバー部５とアダプタ本体１１との軸は、図６に示す接合部分１００によって、一致されるようになっている。
【００６２】
この場合、作業者は、フレキシブル基板であるプリント配線１０をカバー部５の穴から出しておく。そして、このプリント配線１０に側視照明ユニット７を接続させた後、この側視照明ユニット７を先端枠部材１２に装着する。
【００６３】
そして、作業者は、フレア絞り１５を載せずに、対物レンズ６をプリズム１３上に仮に落とし込む。この状態で、作業者は、光学調整機に載せてピントが最適となるフレア絞り１５の枚数を割り出す。
【００６４】
その後、作業者は、対物レンズ６を取り出し、割り出した枚数のフレア絞り１５をプリズム１３上に落とし込む。そして、作業者は、フレア絞り１５の上から対物レンズ６を落とし込み、開口部５ａを介して接着剤を充填することで、カバー部５と対物レンズ６との接着を行う。尚、この接着はカバー部５と対物レンズ６のみで、フレア絞り１５は対物レンズ６とプリズム１３との間に挟持されているだけである。
【００６５】
この場合、本実施の形態例では、前記フレア絞り１５及びこのフレア絞り１５に積層された対物レンズ６の側面部は、前記カバー部５の開口部５ａの内周面に接触することなく、図７に示す当接部材２０Ｃの各当接面２０ｃと面接触して当接することにより、前記フレア絞り１５及び前記対物レンズ６の、前記内視鏡用光学アダプタ２の長手方向の中心軸に対して鉛直な水平方向が規制される。
【００６６】
また、前記当接部材２０Ａと前記当接部材２０Ｂは、図３に示すように、それぞれの当接面２０ａ、２０ｂとが前記フレア絞り１５と前記対物レンズ６の一部とのそれぞれの側面部と面接触して当接することによって、前記カバー部５の開口部５ａの内周面に接触することなく、前記プリズム１３の面１３ａ上に配置された前記フレア絞り１５及び前記対物レンズ６を位置決めすることができる。
【００６７】
また、この場合、前記フレア絞り１５及びこのフレア絞り１５に積層された対物レンズ６の側面部は、図３及び図７に示す当接部材２０ａの各当接面２０ｂと面接触して当接することにより、前記フレア絞り１５及び前記対物レンズ６の、前記内視鏡用光学アダプタ２の長手方向が規制される。
【００６８】
このことにより、前記当接部材２０Ａ〜２０Ｃにより前記フレア絞り１５及び対物レンズ６を直接アダプタ本体１１と先端枠部材１２に対して位置決めすることができるので、カバー部５の開口部５ａの開口精度及びその位置精度によって、内視鏡用光学アダプタ２の長手方向及び径の円周方向に位置ずれが生じることがなく、対物レンズ６の光軸が傾くこともない。よって、側視内視鏡画像のケラレも発生することなく、最適な側視内視鏡画像を得ることが可能となる。
【００６９】
また、前記当接部材２０を４方向に設けたために、カバー部５の開口部５ａ下面とプレズム１３の上面との間に隙間が生じても、フレア絞り１５はずれることがなく、光が遮蔽されてしまう虞れもない。よって、最適な明るさを十分に確保することも可能である。
【００７０】
尚、前記したようにこの開口部５ａの隙間には、接着剤が充填されて、カバー部５と対物レンズ６のみが接着される。そのため、従来技術では、前記開口部５ａの上部のみに接着剤が塗布されていたが、本実施の形態では、隙間全体に接着剤が充填されるので、従来技術よりも水密性を向上させることができる。
【００７１】
また、本実施の形態では、回転規制留め具１４でカバー部５及び先端枠部材１１をアダプタ本体１１に固定する際には、図８に示すように、カバー部５の取付孔５ｃに嵌合している前記回転規制留め具１４の露出部分及び隙間部分に接着剤が充填される。これにより、カバー部５の取付孔５ｃに嵌合している前記回転規制留め具１４近傍の水密を十分に確保することが可能となる。
【００７２】
したがって、本実施の形態によれば、カバー部５の開口部５ａの内周面を用いずにフレア絞り１５及び対物レンズ６をプリズム１３上に位置決めして固定することで、光軸傾きが起きず、またフレア絞り１５でピント調整も行うことができ、ずれる心配もない。また、対物レンズ６を小さくすることなく、内視鏡用光学アダプタ２の観察光学系の細径化は勿論、この内視鏡用光学アダプタ２自体及び内視鏡先端部の細径化を図ることが可能となる。
【００７３】
尚、本実施の形態では、通常の挿入部を有する内視鏡用の光学アダプタ２に本発明を適用した構成について説明したが、これに限定されるものではなく、例えば、図９に示すようにカプセル内視鏡１Ａ等の内視鏡に本発明を適用しても良い。この場合も、前記実施の形態と同様の作用・効果を得ることが可能となる。
【００７４】
本発明は、以上述べた実施の形態のみに限定されるものではなく、発明の要旨を逸脱しない範囲で種々変形実施可能である。
【図面の簡単な説明】
【００７５】
【図１】本発明の一実施の形態の内視鏡用光学アダプタ及びこの内視鏡用光学アダプタが着脱自在に装着される内視鏡先端部を有する内視鏡装置の構成を示す斜視図。
【図２】内視鏡用光学アダプタが装着された内視鏡先端部の上面図。
【図３】図２のＡ−Ａ線断面図。
【図４】図３に示す内視鏡用光学アダプタの分解構成斜視図。
【図５】発明の特徴となる位置決め手段の構成を説明するもので、対物レンズを外した状態の内視鏡用光学アダプタの断面斜視図。
【図６】図３のＢ−Ｂ線断面図。
【図７】アダプタ本体と先端枠部材とを組み立てた状態の位置決め手段の構成を示す内視鏡用光学アダプタの斜視図。
【図８】図３のＣ−Ｃ線断面図。
【図９】カプセル内視鏡を示す図
【図１０】従来の内視鏡用光学アダプタ内のプリズム上に間隔スペーサを介してフレア絞り及び対物レンズを配置した構成を示す図。
【図１１】従来の内視鏡用光学アダプタ内のプリズム上に間隔スペーサを設けずに直接フレア絞り及び対物レンズを配置した構成を示す図。
【符号の説明】
【００７６】
１…内視鏡装置、
２…内視鏡用光学アダプタ、
３…止めネジ、
４…内視鏡挿入部、
４Ａ…嵌合部、
４Ｂ…接続本体部、
４Ｃ…対物レンズ群、
４Ｄ…撮像ユニット、
４Ｅ…撮像素子、
５…カバー部、
５ａ、５ｂ…開口部、
５ｃ…取付孔、
６…対物レンズ、
７ａ…基板、
７…側視照明ユニット、
８…電極。
【００７７】
９…ＬＥＤ、
１０…プリント配線、
１１…アダプタ本体、
１１ａ…取付孔、
１１Ａ…側面部、
１２…先端枠部材、
１２ａ…取付穴、
１２ａ…取付孔、
１３…プリズム、
１３ａ…面、
１４…回転規制留め具具、
１５…フレア絞り、
２０Ａ〜２０Ｃ…当接部材、
２０ａ〜２０ｃ…当接面、
２１…光学レンズ、
２２…カバーレンズ。
【図１】
0005006125.tif 000002
【図２】
0005006125.tif 000003
【図３】
0005006125.tif 000004
【図４】
0005006125.tif 000005
【図５】
0005006125.tif 000006
【図６】
0005006125.tif 000007
【図７】
0005006125.tif 000008
【図８】
0005006125.tif 000009
【図９】
0005006125.tif 000010
【図１０】
0005006125.tif 000011
【図１１】
0005006125.tif 000012